(57)【特許請求の範囲】
【請求項１】
所定のシートが表面に配設された所定の基材に対して取り付けられて蛍光管を保持する蛍光管保持具であって、
一の面に蛍光管の保持部及び１つの取手部が形成され可撓性を有する本体部と、
前記本体部の前記一の面に対し反対側の面における、前記一の面の前記取手部と表裏相対する位置に突設され、その先端部が前記シートに当接する１つの第１当接部と、
前記本体部の前記反対側の面における前記第１当接部を挟む両側の位置に突設され、前記基材に形成された異形の長穴に挿入された後に前記第１当接部が前記シートに当接した状態で該第１当接部を中心に回動されることによりその一部が前記長穴の縁部に係止する複数の係止部と、
前記本体部の前記反対側の面における、前記第１当接部を挟む両側の位置であって前記係止部よりも外側の位置に、前記第１当接部よりも前記シート側へ突出して設けられ、前記シートに当接するその先端部が面取りされた形状若しくは滑らかな曲面状に形成された複数の第２当接部と、
を具備してなることを特徴とする蛍光管保持具。
【請求項２】
前記第１当接部における前記シートに当接する先端部が面取りされた形状若しくは滑らかな曲面状に形成されてなる請求項１に記載の蛍光管保持具。
【請求項３】
前記第２当接部における前記シートに当接する先端部が、前記第１当接部を中心とする円周に略沿う方向に伸びる稜線を形成してなる請求項１又は２のいずれかに記載の蛍光管保持具。
【請求項４】
前記本体部の前記反対側の面における前記第１当接部と前記第２当接部との間の位置に、前記シートに向かう方向の高さが前記第１当接部と略等しい或いはこれよりわずかに低い高さで突設されたスペーサ部が設けられてなる請求項１〜３のいずれかに記載の蛍光管保持具。
【請求項５】
前記蛍光管の保持部と前記スペーサ部とが、前記本体部における表裏相対する位置に設けられてなる請求項４に記載の蛍光管保持具。
【請求項６】
蛍光管を保持する蛍光管保持具と、該蛍光管保持具が取り付けられるものであり表面に所定のシートが配設された所定の基材とを有する蛍光管保持機構であって、
前記基材及び前記シートに、
所定の基準位置を挟む両側の位置に複数の異形の長穴が設けられ、
前記蛍光管保持具に、
一の面に蛍光管の保持部及び１つの取手部が形成され可撓性を有する本体部と、
前記本体部の前記一の面に対し反対側の面における、前記一の面の前記取手部と表裏相対する位置に突設され、前記シートに当接するその先端部が面取りされた形状若しくは滑らかな曲面状に形成された１つの第１当接部と、
前記本体部の前記反対側の面における前記第１当接部を挟む両側の位置に突設され、前記基材の前記長穴に挿入された後に前記第１当接部が前記シートに当接した状態で該第１当接部を中心に回動されることによりその一部が前記長穴の縁部に係止する複数の係止部と、
前記本体部の前記反対側の面における、前記第１当接部を挟む両側の位置であって前記係止部よりも外側の位置に、前記第１当接部よりも前記シート側へ突出して設けられ、前記シートに当接するその先端部が面取りされた形状若しくは滑らかな曲面状に形成された複数の第２当接部と、が設けられてなることを特徴とする蛍光管保持機構。
【請求項７】
前記請求項６に記載の蛍光管保持機構により、液晶表示部の背面照明を行う蛍光管が保持されるよう構成されてなることを特徴する液晶表示装置。
【発明の詳細な説明】
【技術分野】
【０００１】
本発明は，所定のシートが表面に配設された所定の基材に対して取り付けられて蛍光管を保持する蛍光管保持具、その蛍光管保持具を備えた蛍光管保持機構、及びその蛍光管保持機構を備えた液晶表示装置に関するものである。
【背景技術】
【０００２】
一般に、液晶表示装置では、液晶表示部（液晶パネル）のバックライト（背面照明手段）として蛍光管が用いられる。この蛍光管は、通常、液晶表示部の背面側に配置される金属製の筐体等の所定の基材に取り付けられた蛍光管保持具（蛍光管ホルダ或いはランプクリップともいう）により保持される。
ここで、蛍光管保持具の基材に対する従来の取付機構としては、例えば、プッシュ式、ねじ込み式、或いは回転式の取付機構がある。
プッシュ式の取付機構とは、弾性変形する抜け止め部（例えば、円錐状の抜け止め部）が先端に形成された突起部を蛍光管保持具に設け、その突起部の先端が基材に形成された貫通孔に押圧されて貫通することにより、抜け止め部によって蛍光管保持具が基材に保持される機構である。
また、ねじ込み式の取付機構は、ネジ山が形成された突起部を蛍光管保持具に設け、その突起部が基材に形成されたネジ穴に螺着されることにより蛍光管保持具が基材に取り付けられる機構である。
また、回転式の取付機構は、例えば、特許文献１に示されるように、楕円板のような偏心形状の抜け止め部が先端に形成された突起部を蛍光管保持具に設け、その抜け止め部を、その外縁にほぼ沿う形状の基材側の孔に挿通させた後、蛍光管保持具を回転させることにより、抜け止め部によって蛍光管保持具が基材に保持される機構である。
【０００３】
図５は、特許文献１に示される蛍光管固定装置（蛍光管保持具）を、主として基材に対する取付機構（回転式の取付機構）を説明するために簡略化して表した蛍光管保持具Ｚを表すものである。
図５に示すように、従来の蛍光管保持具Ｚは、所定の本体部１０’に蛍光管８０を基材６０’との間に挟み込むことにより保持する保持部１１’が設けられるとともに、本体部１０’の下面にほぼ楕円板状の抜け止め部５１が先端に形成された突起部５０が設けられている。そして、その抜け止め部５１が、その外縁にほぼ沿う形状（ほぼ楕円状）で基材６０’に形成された挿通孔６１’に挿通させた後、蛍光管保持具Ｚを回転させることにより、抜け止め部５１が基材６０’に係合することによって蛍光管保持具Ｚが基材６０’に保持される。
ここで、液晶表示装置では、液晶表示部の背面に対し、蛍光管８０の光を効率的かつ均一に照射させるため、図５に示すように、蛍光管保持具Ｚと基材６０’との間に、蛍光管の光を反射する反射シート７０’（通常は、白色のシート）が配置される。この場合、反射シート７０’にも基材６０’の挿通孔６１’とほぼ同形状の挿通孔７１’が形成されることになる。この場合、本体部１０’の下面と抜け止め部５１との間の間隔ｄは、基材６０’と反射シート７０’とを重ねた厚みとほぼ一致するように設定される。
【特許文献１】実開平４−３４７５号公報
【発明の開示】
【発明が解決しようとする課題】
【０００４】
しかしながら，反射シート７０’は、紙又はプラスチック製の薄膜フィルム等の比較的柔らかな素材で形成されるため、蛍光管保持具の取付機構が、図５に示すような回転式の取付機構である場合、その取り付けや取り外しの際に本体部１０’の下面全体が反射シート７０’に擦れて反射シート７０’を傷つけやすいという問題点があった。このことは、ねじ込み式の蛍光管保持具であっても同様である。
これに対し、前述したプッシュ式の蛍光管保持具は、取り付け時に回転させないため、反射シート（以降、シートと表現することもある）を傷つけやすいという問題は生じないものの、これを基材から取り外す場合に、抜け止め部をペンチ等によって押さえる若しくは潰す必要があり、部品交換やリサイクル作業が困難になるという問題点があった。
従って、本発明は上記事情に鑑みてなされたものであり、その目的とするところは、取り付け先となる基材側の表面のシートを傷つけることなく、容易に着脱可能な蛍光管保持具、それを備えた蛍光管保持機構、及びそれを具備する液晶表示装置を提供することにある。
【課題を解決するための手段】
【０００５】
上記目的を達成するために本発明は，所定のシート（光反射シートがその典型例）が表面に配設された所定の基材に対して取り付けられて蛍光管を保持する蛍光管保持具若しくはそれを用いた蛍光管保持機構、或いはそのような蛍光管保持機構により液晶表示部の背面照明を行う蛍光管が保持されるよう構成された液晶表示装置として構成されるものであり、以下の特徴的構成を有するものである。
即ち、前記蛍光管保持具が、一の面（蛍光管が保持される側の面）に蛍光管の保持部及び１つの取手部が形成され可撓性を有する本体部と、その本体部の前記一の面に対し反対側の面における、前記一の面の前記取手部と表裏相対する位置に突設され、その先端部が前記シートに当接する１つの第１当接部と、前記本体部の前記反対側の面における前記第１当接部を挟む両側の位置に突設され、前記基材に形成された異形の長穴に挿入された後に前記第１当接部が前記シートに当接した状態でその第１当接部を中心に回動されることにより、その一部が前記長穴の縁部に係止する複数の係止部と、前記本体部の前記反対側の面における、前記第１当接部を挟む両側の前記係止部よりも外側の位置にその第１当接部よりも前記シート側へ突出して設けられ、前記シートに当接するその先端部が面取りされた形状若しくは滑らかな曲面状に形成された複数の第２当接部とを有しているものである。この場合、前記基材及び前記シートには、所定の基準位置（前記第１当接部が当接される位置）を挟む両側の位置に、前記係止部が挿入及び係止する複数の異形の長穴が設けられる。ここで、当該蛍光管保持具が液晶表示装置に適用される場合、前記一の面は、液晶表示部（液晶パネル）の背面に向かう側の面を指す。なお、この蛍光管保持具の基材に対する取付機構は、前述した回転式の取付機構の一例である。
【０００６】
上記のような構成により、本発明は以下の作用効果を有する。
まず、蛍光管保持具が基材に取り付けられる際に前記シートに対して擦れる部分が、回転中心となる（固定位置で回転する部分である）前記第１当接部と、先端部が滑らかに形成された前記第２当接部とに限られる。従って、当該蛍光管保持具を基材に対して着脱する際に、基材側の表面のシートが傷つきにくい。
また、前記係止部が基材の前記異形の長穴に係止した状態、即ち、蛍光管保持具が基材に取り付けられた状態では、前記第１当接部が前記シートに当接していると同時に、前記第２当接部が前記本体部の撓みの反力（元の形状に戻ろうとする力）により当接した状態となる。その結果、前記第１当接部及び前記第２当接部が前記シートを押さえる機能を果たし、前記シートのずれ防止に寄与する。
また、作業者は、前記取手部を持って前記第１当接部を基材側に押し当てながら（当接させながら）当該蛍光管保持具を回転させる、という簡易な作業により当該蛍光管保持具を基材に取り付けることができる。なお、上記構成による作用効果の詳細については後述する。
【０００７】
ここで、前記第１当接部の先端部は、前記シートに当接しつつ固定位置で回転するだけである。従って、その先端部が、例えば円形の平面状等に形成されていれば、前記シートを傷つけることをほぼ回避できる。しかしながら、前記第１当接部における前記シートに当接する先端部が、面取りされた形状若しくは滑らかな曲面状に形成されたものであれば、前記シートを傷つけることをより確実に防止する上で一層効果的である。
また、前記第２当接部における前記シートに当接する先端部が、前記第１当接部を中心とする円周に沿う方向若しくはほぼ沿う方向（例えば、その円周の接線に沿う方向）に伸びる稜線を形成するものであればなお好適である。
これにより、前記第２当接部が前記シートを押さえる範囲（当接範囲）を広く確保しつつ、当該蛍光管保持具の取り付け時（回転時）における、前記第２当接部の前記シートに対する摩擦抵抗を極力低減できる。
【０００８】
ところで、当該蛍光管保持具が基材に取り付けられた状態では、前記本体部の前記反対面の側は、前記第１当接部と前記第２当接部とが前記シートに当接し、それらの間に空間が存在するアーチ状となる。このため、このアーチ状の部分の前記一の面の側に前記保持部が設けられている場合、その保持部に対して蛍光管の取り付け作業が行われると、前記本体部が撓んで取り付け辛い。しかも、前記空間の高さや前記本体部材の強度によっては、蛍光管の取り付け時に前記本体部が割れる恐れもある。
そこで、前記本体部の前記反対側の面における前記第１当接部と前記第２当接部との間の位置に、前記シートに向かう方向の高さが前記第１当接部とほぼ等しい或いはこれよりわずかに低い高さで突設されたスペーサ部が設けられたものが考えられる。この場合、前記蛍光管の保持部と前記スペーサ部とが、前記本体部における表裏相対する位置に設けられたものであればなお好適である。
これにより、当該蛍光管保持具が基材に取り付けられた後に、蛍光管を前記保持部に保持させる作業が行われた際に、前記アーチ状の部分が押さえられると前記スペーサ部が前記シートに当接する。これにより、前記本体部が大きく撓むことを防止でき、蛍光管の取り付け作業が容易となるとともに、前記本体部が撓みすぎて割れるという不都合を回避できる。
【発明の効果】
【０００９】
本発明によれば、蛍光管保持具が基材に取り付けられる際に前記シートに対して擦れる部分が、回転中心となる前記第１当接部と、先端部が滑らかに形成された前記第２当接部とに限られる。従って、当該蛍光管保持具を基材に対して着脱する際に、基材側の表面のシートが傷つきにくい。
また、当該蛍光管保持具が基材に取り付けられた状態では、前記第１当接部と前記第２当接部とが前記シートを押さえる機能を果たし、前記シートのずれ防止に寄与する。
また、作業者は、前記取手部を持って前記第１当接部を基材側に押し当てながら（当接させながら）当該蛍光管保持具を回転させる、という簡易な作業により当該蛍光管保持具を基材に取り付けることができる。
さらに、前記本体部の前記反対側の面における前記第１当接部と前記第２当接部との間の位置に前記スペーサ部が設けられることにより、前記保持部に蛍光管を保持させる際に前記本体部が大きく撓むことを防止でき、蛍光管の取り付け作業が容易となるとともに、前記本体部が撓みすぎて割れるという不都合を回避できる。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに、図１は本発明の実施形態に係る蛍光管保持具Ｘの形状を表す図、図２は蛍光管保持具Ｘが取り付けられる基材の長穴の図及びその長穴に蛍光管保持具Ｘが取り付けられる際の様子を表す図、図３は蛍光管保持具Ｘが基材に対して取り付けられた状態を表す断面図、図４は液晶表示装置における液晶表示部の背面を照明するバックライト部Ｙの概略正面図、図５は従来の蛍光管保持具Ｚを表す図である。
【００１１】
本発明の実施形態に係る蛍光管保持具Ｘは、図４に示すように、液晶表示装置が備える液晶表示部（不図示）の背面照明を行うバックライト部Ｙにおいて、その光源となる蛍光管８０を保持するものであり、液晶表示部の背面側に配置される基材６０（例えば、金属製の筐体）に対して取り付けられた状態で蛍光管８０を保持するものである。
また、基材６０の表面（蛍光管８０が保持される側の面）には、蛍光管保持具Ｘとの間に挟まれるように、蛍光管８０の光を反射する反射シート７０が配置される。この反射シート７０は、その表面（液晶表示部に向かう面）の色が均一な白色となっている。
なお、蛍光管保持具Ｘ、基材６０及び反射シート７０により、本発明の実施形態に係る蛍光管保持機構が構成されている。
【００１２】
次に、図１〜図３を参照しつつ、蛍光管保持具Ｘの構造（形状）及び基材６０に対する取付機構について説明する。図１において、蛍光管保持具Ｘの正面、上面、下面及び側面各々を表す図を示しているが、ここでいう正面、上面、下面、側面は、便宜上そのように称するものであり、蛍光管保持具Ｘが液晶表示装置に取り付けられた状態での向きを意味するものではない。具体的には、蛍光管保持具Ｘ及び基材６０、並びに反射シート７０について、「上面」とは、蛍光管保持具Ｘが液晶表示装置に取り付けられた場合に、液晶表示部（液晶パネル）の背面に向かう面であり、「下面」はその反対面を意味する。また、ここでいう「正面」は、当該蛍光管保持具Ｘに保持される蛍光管８０の軸方向（長手方向）から見た面であり、「側面」はそれに直交する方向の面である。
また、図２（ａ）、（ｂ）は、ともに基材６０及び反射シート７０に設けられた異形の長穴６１及び７１を下面方向から見たときの図である。また、図２（ｂ）は、その長穴６１に蛍光管保持具Ｘが取り付けられる様子を破線で示した図である。図中、蛍光管保持具Ｘを、その状態に応じてＸ−ａ及びＸ−ｂと表記している。
また、図３（ａ）は、基材６０及びこれに取り付けられた蛍光管保持具Ｘの側断面図、図３（ｂ）は、基材６０及び反射シート７０の側断面図を表す。
【００１３】
蛍光管保持具Ｘは、その全体がプラスチックや樹脂等からなる一体成型品であり、液晶表示部に対する照射光の強度に分布（ムラ）が生じないよう、反射シート７０の表面と同じ色（通常は白色）で構成されている。
図１に示すように、蛍光管保持具Ｘは、上面（一の面に相当）に蛍光管の保持部２０が形成された板状本体部１０を有している。この板状本体部１０は、樹脂やプラスチック等が板状に形成されているものであることにより、上面方向及び下面方向に可撓性を有している。
また、板状本体部１０の側面部には、蛍光管保持具Ｘが基材６０に取り付けられた状態で、後述する基材６０の長穴６１を隠すための目隠し部１４が形成されている。
さらに、その板状本体部１０の上面には、保持部２０よりも高く突設された取手部３０が設けられている。この取手部３０は、当該蛍光管保持具Ｘが基材６０に対して取り付けられる際に、作業者によって摘まれる部分である。さらにこの取手部３０は、板状本体部１０の上面側に配置される液晶パネル等と蛍光管８０とが干渉しないように、保持部２０に保持される蛍光管８０の保持空間を確保するスペーサの役割も果たす。
【００１４】
また、保持部２０各々は、正面方向（保持される蛍光管８０の軸方向）から見て概ね馬蹄状（概ねＵ字状ともいえる）に形成されており、その内側には、蛍光管８０の外縁（外周）の範囲よりも若干小さな範囲内となる３箇所に、蛍光管８０の周面を支持する３つの支持部２１が形成されている。この保持部２０の内側に蛍光管８０が押圧されると、保持部２０は弾性変形して広がり、蛍光管８０が保持部２０の内側に嵌め込まれる。そして、蛍光管８０が嵌め込まれると、保持部２０の弾性によって３つの支持部２１が蛍光管８０の周面に当接し、その支持部２１によって蛍光管８０が保持部２０ごとに３点支持される。
【００１５】
一方、板状本体部１０の下面（一の面に対する反対側の面）には、第１当接部４０と、第２当接部１１と、係止部１２とが突設されている。
前記第１当接部４０は、板状本体部１０の下面において、その上面に設けられた取手部３０と表裏相対する位置に突設されたものである。そして、その先端部は、当該蛍光管保持具Ｘが基材６０に取り付けられる際に、反射シート７０に当接する部分である。
図１に示すように、第１当接部４０の先端部（反射シート７０に当接する部分）は、円形の平面状に形成されるとともに、その角部が面取りされて滑らかな形状となっている。この他、第１当接部４０の先端部が、滑らかな曲面状に形成されたものも考えられる。要は、第１当接部４０の先端部は、反射シート７０に当接された状態で固定位置で回転した場合に、反射シート７０に対して引っ掛かりが生じない形状であればよい。
前記係止部１２は、板状本体部１０の下面において、第１当接部４０を挟む両側の対称な位置に１つずつ（計２つ）突設され、軸部１２ａと鍔部１２ｂとを有している。この係止部１２は、基材６０及び反射シート７０に形成された異形の長穴６１、７１（図２参照）に挿入される部分である。そして、係止部１２は、前記異形の長穴６１、７１に挿入された後に、前記第１当接部４０が反射シート７０に当接した状態で、その第１当接部を中心に回動されることにより、その軸部１２ａが回動方向において前記長穴６１の縁部に係止する。同時に、基材６０及び反射シート７０に対して垂直な方向においては、軸部１２ａの先端に設けられた鍔部１２ｂが前記長穴６１の縁部に係止する。即ち、軸部１２ａが蛍光管保持具Ｘが取り付けられる向きを定める機構を構成し、鍔部１２ｂが長穴６１からの抜け止め機構を構成している。
ここで、係止部１２の鍔部１２ｂは、板状本体部１０の下面方向において、基材６０に係止する部分の位置（上面）が、第１当接部４０の先端部の位置（高さ）に、反射シート７０の厚みと基材６０の厚みとを加えた位置（高さ）とほぼ等しい位置となるように設けられている。これにより、蛍光管保持具Ｘが基材６０に取り付けられた状態で、蛍光管保持具Ｘにガタが生じない。
【００１６】
前記第２当接部１１は、板状本体部１０の下面において、第１当接部４０を挟む両側の対称な位置であって、係止部１２よりも外側の位置に１つずつ（計２つ）突設されている。この第２当接部１１は、第１当接部４０よりも下面の方向（即ち、反射シート７０側）にわずかに突出して設けられている。図１には、第１当接部４０と第２当接部との高さの差をΔｈと表記している。
この高さの差Δｈは、板状本体部１０の可撓性により、第２当接部１１の先端部が、第１当接部４０の高さ（反射シート７０に向かう方向（下面方向）の高さ）と等しい高さとなるまで変位可能な範囲に設定されている。即ち、第１当接部４０と第２当接部１１とを平面状の反射シート７０に当接させた際に、板状本体部１０が塑性しないように構成されている。例えば、このΔｈは、０．２ｍｍ〜１．０ｍｍ程度に設定される。
また、第２当接部１１の先端部は、反射シート７０に当接する部分であり、その先端部は、図１に示すように、面取りされた形状若しくは滑らかな曲面状に形成されている。
さらに、第２当接部１１は、その先端部（反射シートに当接する部分）が、第１当接部４０を中心とする円周にほぼ沿う方向に伸びる稜線を形成している。図１に示す例では、第２当接部１１の先端部は、第１当接部４０を中心とする円周の接線に沿う方向に直線状に伸びる稜線を形成している。もちろん、第１当接部４０を中心とする円周に沿うよう曲線状に伸びる稜線を形成するものであってもよい。
なお、前記保持部２０は、板状本体部１０の上面において、第１当接部４０と第２当接部１１との間の位置に設けられている。
【００１７】
また、板状本体部１０の下面には、第１当接部４０と第２当接部１１との間の位置に、反射シート７０に向かう方向の高さ（下面方向の高さ）が第１当接部４０とほぼ等しい、或いはこれよりわずかに低い高さで突設されたスペーサ部１３が設けられている。
図１に示す例では、蛍光管８０を保持する保持部２０とスペーサ部１３とが、板状本体部１０における表裏相対する位置に設けられている。また、係止部１２も、保持部２０と表示相対する位置に設けられている。結果として、スペーサ部１３は、係止部１２の根元部分に形成されている。
【００１８】
図２（ａ）に示すように、基材６０及び反射シート７０には、所定の基準位置６２を挟む両側の対称な位置各々に、異形の長穴６１、７１が１つずつ（計２つ）設けられている。この基材６０の長穴６１と反射シート６０の長穴７１とは、同じ位置に同じ形状で設けられている。
この長穴６１（７１）は、蛍光管保持具Ｘの係止部１２に設けられた鍔部１２ｂよりも大きな第１の開口部６１ａ（７１ａ）と、その鍔部１２ｂよりも小さく、かつ係止部１２の軸部１２ａの外径よりも大きな第２の開口部６１ｃ（７１ｃ）と、これら第１の開口部６１ａ（７１ａ）及び第２の開口部６１ｃ（７１ｃ）を連通させる開口部である連通部６１ｂ（７１ｂ）とにより構成されている。
【００１９】
蛍光管保持具Ｘは、基材６０に取り付けられる際に以下のように取り扱われる。
まず、作業者は、取手部３０又は蛍光管保持部２０を持ち、２つの係止部１２各々が、基材６０及び反射シート７０の長穴６１、７１の第１の開口部６１ａ、７１ａに挿入されるように蛍光管保持具Ｘの向きを定めながら、第１当接部４０を反射シート７０の前記基準位置６２の部分に押し当てる（当接させる）。これにより、蛍光管保持具Ｘは、図２（ｂ）におけるＸ−ａの状態となる。
そして、第１当接部４０を反射シート７０の前記基準位置６２の部分に押し当てながら（当接させながら）、当該蛍光管保持具Ｘを所定方向に回転させる。図２例では、蛍光管保持具Ｘを時計回りに回転させる。なお、図２は、基材６０の下面側から見た図であるので、回転方向を表す破線矢印は、反時計回りの方向を指している。
これにより、係止部１２の軸部１２ａが第１の開口部６１ａ、７１ａから連通部６１ｂ、７１ｂを経由して第１の開口部６１ｃ、７１ｃに至る。その結果、係止部１２の軸部１２ａ及び鍔部１２ｂが、基材６０側の第１の開口部６１ｃの縁部に係止し、蛍光管保持具Ｘが基材６０に取り付けられた状態となる（図３（ａ）参照）。図２（ｂ）におけるＸ−ｂは、蛍光管保持具Ｘが基材６０に取り付けられた状態を表している。この状態では、図２（ｂ）に示すように、板状本体部１０の目隠し部１４が、長穴６１、７１を覆って隠す。これにより、反射シート７０の長穴７１部分が、蛍光管８０の光の反射状態を乱すことを防止している。
このように、作業者は、取手部３０又は蛍光管保持部２０を持って第１当接部４０を基材６０側に押し当てながら（当接させながら）当該蛍光管保持具Ｘを回転させる、という簡易な作業により当該蛍光管保持具Ｘを基材６０に取り付けることができる。
【００２０】
また、蛍光管保持具Ｘが基材６０に取り付けられる際に反射シート７０に対して擦れる部分が、回転中心となる（固定位置で回転する部分である）第１当接部４０と、先端部が滑らかに形成された第２当接部１１とに限られる。従って、当該蛍光管保持具Ｘを基材６０に対して着脱する際に、反射シート７０が傷つきにくい。なお、スペーサ部１３は、その高さが第１当接部４０とほぼ等しい高さ若しくはそれより低い高さで設けられており、第２当接部１１の当接による板状本体部１０が撓むため、その先端部は反射シート７０を強く擦らない。
また、蛍光管保持具Ｘが基材６０に取り付けられた状態では、図３（ａ）に示すように、第１当接部１１と第２当接部４０とが反射シート７０に当接している状態となる。この状態において、板状本体部１０における第１当接部４０から第２当接部１１の間の部分１０ａは、その可撓性により撓んだ状態となっている。従って、第２当接部１１は、板状本体部１０の撓みの反力（元の形状に戻ろうとする力）により、反射シート７０に当接した状態となる。その結果、第１当接部４０及び第２の当接部１１が、反射シート７０を押さえる機能を果たし、反射シート７０のずれ防止に寄与する。
【００２１】
また、第２当接部１１の先端部（反射シート７０に当接する部分）が、第１当接部４０を中心とする円周にほぼ沿う方向に伸びる稜線を形成しているので、第２当接部１１が反射シートを押さえる範囲（当接範囲）を広く確保しつつ、当該蛍光管保持具Ｘの取り付け時（回転時）における、第２当接部１１の反射シート７０に対する摩擦抵抗を極力低減して反射シート７０を傷つけにくい構成となっている。
また、当該蛍光管保持具Ｘが基材６０に取り付けられた状態では、図３（ａ）に示すように、板状本体部１０の下面側は、第１当接部４０と第２当接部１１とが反射シート７０に当接し、それらの間に空間が存在するアーチ状となる。
これに対し、第１当接部４０と第２当接部１１との間の位置に、スペーサ部１３が設けられているので、蛍光管８０を保持部２０に保持させる作業が行われた際に、前記アーチ状の部分が押さえられるとスペーサ部１３が反射シート７０に当接する。これにより、板状本体部１０が大きく撓むことを防止でき、蛍光管８０の取り付け作業が容易となるとともに、板状本体部１０が撓みすぎて割れるという不都合を回避できる。なお、係止部１２とスペーサ部１３とが同じ位置に設けられる場合、スペーサ部１３の大きさが、少なくとも基材６０の長穴６１の第２の開口部６１ｃよりも大きく形成される必要があることはいうまでもない。
また、スペーサ部１３は、必ずしも保持部２０と表裏相対する位置に設けなくても、例えばその近傍位置に設けること等により、板状本体部１０の撓み過ぎ防止機能を十分に果たす。
【産業上の利用可能性】
【００２２】
本発明は、蛍光管保持具への利用が可能である。
【図面の簡単な説明】
【００２３】
【図１】本発明の実施形態に係る蛍光管保持具Ｘの形状を表す図。
【図２】蛍光管保持具Ｘが取り付けられる基材の長穴の図及びその長穴に蛍光管保持具Ｘが取り付けられる際の様子を表す図。
【図３】蛍光管保持具Ｘが基材に対して取り付けられた状態を表す断面図。
【図４】液晶表示装置における液晶表示部の背面を照明するバックライト部Ｙの概略正面図。
【図５】従来の蛍光管保持具Ｚを表す図。
【符号の説明】
【００２４】
Ｘ…蛍光管保持具
Ｙ…バックライト部
１０…板状本体部
１１…第２当接部
１２…係止部
１３…スペーサ部
１４…目隠し部
２０…保持部
２１…支持部
３０…取手部
４０…第１当接部
６０…基材
６１…基材の長穴
７０…反射シート
７１…反射シートの長穴
８０…蛍光管
【図１】
0004397885.tif 000002
【図２】
0004397885.tif 000003
【図３】
0004397885.tif 000004
【図４】
0004397885.tif 000005
【図５】
0004397885.tif 000006